(57)【特許請求の範囲】
【請求項１】
機器筐体に形成された開口を、該開口の左右いずれか一方を中心に回転する扉により開閉自在に覆うとともに、前記筐体の内側と前記扉の内側との間に係合手段を介在させ、前記筐体の開口を前記扉で覆った際に、該扉の拡開を前記係合手段により規制するようにした扉の開閉装置において、
前記係合手段は、前記筐体の開口内周縁を囲繞するように前記筐体内に固着された第１の枠体であって、その周縁全周に亘り突設された複数の舌片の全てにそれぞれ係合孔が形成された第１の枠体と、
前記扉の内周縁に沿って前記扉に固着された第２の枠体であって、その周縁全周に亘り突設された複数の舌片の全てにそれぞれガイド孔が形成された第２の枠体と、
前記第２の枠体内に上下動自在に支承された第３の枠体であって、前記第２の枠体の対応する各ガイド孔内に嵌挿する複数本の係合ピンが枠体全周に亘り固着された第３の枠体と、
前記扉の正面から前記第３の枠体を前記第２の枠体に沿って所定距離上下動させるてこを利用したリンク式昇降手段であって、該リンク式昇降手段は、前記扉の背面に軸を介し回動自在に支承され、先端が前記第３の枠体の一部に回動自在に支承されたリンクアームからなり、該リンクアームの他端は昇降手段に連結され、該昇降手段により前記リンクアームの他端を昇降させると、前記軸を中心に回動する前記リンクアームの先端により前記第３の枠体を昇降させるリンク式昇降手段とを有し、
前記筐体の開口を前記扉で覆った際に、前記リンク式昇降手段を介し、前記第３の枠体を上動させることにより、該第３の枠体に固着された複数本の係合ピンを対応する前記第２の枠体に形成されたガイド孔及び前記第１の枠体に形成された係合孔内に嵌挿させて前記筐体と前記扉とをその開口周縁の全周に亘り係合させ、これにより前記筐体に対する前記扉の開閉を規制するとともに、前記リンク式昇降手段を介し前記第３の枠体を下動させ、これにより前記係合ピンと前記係合孔との係合を解除して前記筐体に対する前記扉の開閉規制を解除するようにしたことを特徴とする扉の開閉装置。
【請求項２】
前記昇降手段は前記扉の正面から操作されることを特徴とする請求項１に記載の扉の開閉装置。
【発明の詳細な説明】
【０００１】
【発明の属する技術分野】
この発明は、テレホンカード、商品券等の商品を販売する自動販売機、あるいは貴重品を収納する機器に関し、特にこれらの機器の本体を構成する筐体の開口を開閉する扉の開閉装置に関する。
【０００２】
【従来の技術】
一般に、テレホンカード、バスカード、商品券等のプリペイドカード、あるいはＩＣを搭載したカード等のシート材を販売する自動販売機では、販売するシート材等の商品を収納する機器本体が頑丈な筐体により構成されている。
【０００３】
そして、このような筐体の正面にはテレホンカード等の商品を出し入れしたり、また商品を購入するために投入された金銭を回収するための大きな開口部が形成され、またこの開口部は頑丈な扉により開閉自在に覆われている。
【０００４】
一方、このような機器では、筐体内に収納された商品や金銭を盗難等の悪戯から保護するため、筐体とこれを開閉する扉との間に扉の開閉装置を配設している。  この従来の扉の開閉装置は、筐体の開口と扉との間に介在させた係合ピンとこのピンに係合するＵ字形状の溝からなる係合手段とを具えており、筐体の開口を扉により覆った際に、この係合手段により筐体と扉とを係合させ、さらにこの係合が容易に解除されないよう係合手段をロックするロック手段を配設し、扉が悪戯等により容易に解放されないようにしていた。
【０００５】
【発明が解決しようとする課題】
ところで、上述した従来の扉の開閉装置によると、筐体の開口と扉とは、単にピンと、このピンに係合するＵ字形状の溝とからなる簡単な開閉装置によりその開放を規制する構造であるため簡単に悪戯されて扉が開放されてしまう虞があった。
【０００６】
即ち、扉と筐体開口との嵌合部等からバール等の工具が挿入されて、筐体と扉との間に大きな力が加わると、ピンによりＵ字形状の溝幅が拡開し、このためピンとＵ字形状の溝との係合が破壊され、そのため扉が無理やりこじあけられて、筐体内部に収納されている商品や金銭が盗まれる虞があった。
【０００７】
また、上述した係合手段を構成するピン及びＵ字形状の溝のうちいずれか一方は、上下動する頑丈な金属製の枠体により形成されているが、筐体が大きくなるとこの枠体の重量も大きくなり、このため枠体を上下動させる力も大きくなって機器筐体とこれを開閉する扉との開閉作業が困難となる難点もあった。
【０００８】
この発明は上述した事情に鑑み、筐体とこれを解放する扉とが悪戯等により容易に拡開されないようにするともに、扉を開閉する場合は容易に開閉することができるようにした扉の開閉装置を提供することを目的とする。
【０００９】
【課題を解決するための手段】
上述した課題を解決するため、この発明では、機器筐体に形成された開口を、該開口の左右いずれか一方を中心に回転する扉により開閉自在に覆うとともに、前記筐体の内側と前記扉の内側との間に係合手段を介在させ、前記筐体の開口を前記扉で覆った際に、該扉の拡開を前記係合手段により規制するようにした扉の開閉装置において、前記係合手段は、前記筐体の開口内周縁を囲繞するように前記筐体内に固着された第１の枠体であって、その周縁全周に亘り突設された複数の舌片の全てにそれぞれ係合孔が形成された第１の枠体と、前記扉の内周縁に沿って前記扉に固着された第２の枠体であって、その周縁全周に亘り突設された複数の舌片の全てにそれぞれガイド孔が形成された第２の枠体と、前記第２の枠体内に上下動自在に支承された第３の枠体であって、前記第２の枠体の対応する各ガイド孔内に嵌挿する複数本の係合ピンが枠体全周に亘り固着された第３の枠体と、前記扉の正面から前記第３の枠体を前記第２の枠体に沿って所定距離上下動させるてこを利用したリンク式昇降手段であって、該リンク式昇降手段は、前記扉の背面に軸を介し回動自在に支承され、先端が前記第３の枠体の一部に回動自在に支承されたリンクアームからなり、該リンクアームの他端は昇降手段に連結され、該昇降手段により前記リンクアームの他端を昇降させると、前記軸を中心に回動する前記リンクアームの先端により前記第３の枠体を昇降させるリンク式昇降手段とを有し、前記筐体の開口を前記扉で覆った際に、前記リンク式昇降手段を介し、前記第３の枠体を上動させることにより、該第３の枠体に固着された複数本の係合ピンを対応する前記第２の枠体に形成されたガイド孔及び前記第１の枠体に形成された係合孔内に嵌挿させて前記筐体と前記扉とをその開口周縁の全周に亘り係合させ、これにより前記筐体に対する前記扉の開閉を規制するとともに、前記リンク式昇降手段を介し前記第３の枠体を下動させ、これにより前記係合ピンと前記係合孔との係合を解除して前記筐体に対する前記扉の開閉規制を解除するようにしている。
【００１０】
【発明の実施の形態】
以下、この発明に係わる扉の開閉装置の一実施例を詳述する。
【００１１】
図１は、この発明に係わる扉の開閉装置を適用した自動販売機１の概念正面図である。
【００１２】
この自動販売機１は、特にバスカード等のプリベイドカードを販売する自動販売機で、その高さは約１５７センチメートルで、地上等に設置する台座部２と自動販売機本体３とから構成され、その全体重量は約１６０キログラム程度に設定されている。
【００１３】
のうち、自動販売機本体３は、商品であるバスカードを収納した立方体形状の機器筐体４と、この機器筐体４の正面を開閉自在に覆う扉５とから構成されている。
【００１４】
このうち扉５の表面には機器筐体４内に設置され、投入紙幣の真偽を判別するとともに真券を収納する紙幣処理装置（図示せず）の紙幣投入口６が一部露出するように配設され、またこの扉５の表面には販売対象のバスカード見本Ａ、Ｂ、Ｃ、Ｄを展示するシート材展示装置７が装着されている。
【００１５】
さらに、このシート材展示装置７の各下方には、購入するバスカードを選択する選択ボタン８、９、１０、１１及び、購入したバスカードを排出するカード排出口１２、１３、１４，１５が配設されており、また前記紙幣挿入口６の左側方には紙幣投入口６に投入された紙幣の金額を表示する投入金額表示装置１６が配設されている。
【００１６】
また、この投入金額表示装置１６の下方には図示せぬキーにより開閉される鍵扉１７が配設されている。
【００１７】
一方、上述した扉５は、その右側方の上下に配設された一対の強固な支承部材１８、１９を介し機器筐体４の右側方を中心に回動自在に支承されている。
【００１８】
なお、実施例の扉５が機器筐体４の右側方を中心に回動自在に支承させる理由は、実施例の扉５のサイズが大きいだけでなく、保安等の理由から当該扉５の板厚を厚く設定してその機械的強度を向上させているので、その重量も重く、したがって、従来のごとく扉５の下辺、あるいは上辺を中心に機器筐体４に対し回動自在に配設して扉５を開閉することができないからである。
【００１９】
すなわち、実施例のように扉５を機器筐体４の右側方を中心に回動自在に支承させると、扉５の開閉の際に扉５そのものの重量がオペレータに加わらず、扉５を簡単に開閉することができる構造となっている。
【００２０】
次に、上述した機器筐体（以下単に筐体という）４及び扉５内にそれぞれ配設された本願発明に関わる扉の開閉装置を詳述する。
【００２１】
図２及び図３は扉５を拡開して筐体４及び扉５の内部を示した拡大図で図１と同一部分を同一符号で示す。
【００２２】
この筐体４の開口部４ａの内周縁４ｂには、本願発明に係わる扉の開閉装置を構成する係合手段２００の一部である、４っのプレート２０、２１、２２、２３をそれぞれ溶接等により連結して構成された矩形状の第１の枠体２４が固着されている。またこの第１の枠体２４の周縁には所定のピッチで複数の舌片２０ａ、２０ｂ、２０ｃ、２０ｄ、２１ａ、２１ｂ、２１ｃ、２１ｄ、２２ａ、２３ａが突設され、この各舌片２０ａ、２０ｂ、２０ｃ、２０ｄ、２１ａ、２１ｂ、２１ｃ、２１ｄ、２２ａ、２３ａには、それぞれ後述する係合ピンが係合する係合孔が形成されている。
【００２３】
一方、扉５の内側５ａを示す図３のように、この扉５の内側５ａには、本願発明に関わる扉の開閉装置を構成する係合手段２００の一部である、扉５の内周縁５ｂに沿って固着された第２の枠体３０と、この第２の枠体３０内に上下動自在に支承された第３の枠体４０と、この第３の枠体４０を前記第２の枠体３０に沿って所定距離上下動させる、てこを利用したリンク式昇降手段７０が配設されている。
【００２４】
なお、本願発明に係わる扉の開閉装置を構成する係合手段２００は、上述した第１乃至第３の枠体２４、３０、４０およびてこを利用したリンク式昇降手段７０により構成されている。
【００２５】
このうち、第２の枠体３０は、第３の枠体４０とリンク式昇降手段７０を除いた扉５の内側５ａを示す図４のように、扉５の内周縁５ｂに沿って当該扉５の内側５ａに溶接等により固着された４っのプレート３１、３２、３３、３４から構成されている。
【００２６】
この第２の枠体３０を構成する４っのプレート３１、３２、３３、３４には、互いに対向する上下一対の舌片３５、３６からなる舌片部３１ａ、３１ｂ、３１ｃ、３１ｄ、３１ｆ、３２ａ、３２ｂ、３２ｃ、３２ｄ、３２ｆ、３３ａ、３４ａがそれぞれ形成され、この各舌片部３１ａ、３１ｂ、３１ｃ、３１ｄ、３１ｆ、３２ａ、３２ｂ、３２ｃ、３２ｄ、３２ｆ、３３ａ、３４ａの各舌片３５、３６には後述する係合ピンが嵌挿するガイド孔が形成されている。
【００２７】
一方、第３の枠体４０は、図５の正面図で示す図５のように互いに連結して固着された４っのプレート４１、４２、４３、４４から構成されている。
【００２８】
このうちプレート４１には、上下方向に沿って所定のピッチで５つの係合ピン５０、５１，５２、５３、５４が固着され、またプレート４２にもその上下方向に沿って所定のピッチで５つの係合ピン５５、５６、５７、５８、５９が固着されている。
【００２９】
またプレート４３にはその中央に一本の係合ピン６０が固着され、プレート４４にもその中央に一本の係合ピン６１が固着されている。
【００３０】
一方、上述した第３の枠体４０を昇降させるてこを利用したリンク式昇降手段７０は、扉５の内側５ａ（図４）に固着される取り付け金具７１に軸７２を介し回動自在に支承された第１のリンクアーム７３と、同じく扉５の内側５ａ（図４）に固着される取り付け金具７４に軸７５を介し回動自在に支承された第２のリンクアーム７６とから構成されている。
【００３１】
このうち第１のリンクアーム７３の先端７３ａはプレート４１の下方に形成された舌片４１ａに軸８０を介し回動自在に支承され、また第２のリンクアーム７６の先端７６ａもプレート４２の下方に形成された舌片４２ａに軸８１を介し回動自在に支承されている。
【００３２】
一方、上述した第１及び第２のリンクアーム７３、７６の各後端７３ｂ、７６ｂは、それぞれ同一の軸８２に回動自在に支承されている。
【００３３】
また、この軸８２は矢印Ａで示すように扉５の内側５ａに固着される一対のガイド壁８３、８４に沿って昇降自在に支承されている。
【００３４】
このような第１及び第２のリンクアーム７３、７６によると、軸８２が一対のガイド壁８３、８４に沿って昇降すると、第１及び第２のリンクアーム７３、７６の各先端７３ａ、７６ａが軸７２、７５を中心に回動し、これにより第１及び第２のリンクアーム７３、７６の各先端７３ａ、７６ａが舌片４１ａ、４２ａを介し第３の枠体４０を取り付け金具７１、７４の固定位置を基準に矢印Ｂの如く上下動することとなる。
【００３５】
その際、第１及び第２のリンクアーム７３、７６の各先端７３ａ、７６ａからその回動中心である軸７２、７５までの距離は、軸７２、７５からその後端７３ｂ、７６ｂまでの距離よりも小さく設定されているので、てこの原理に基づき第１及び第２のリンクアーム７３、７６の各後端７３ｂ、７６ｂを昇降させる力よりもいっそう大きな力で第３の枠体４０を矢印Ｂ方向に昇降させることができることとなる。
【００３６】
その際、第１及び第２のリンクアーム７３、７６のうち、第１のリンクアーム７３における、その先端７３から軸７２までの距離に対する軸７２から後端７３ｂまでの距離の比と、第２のリンクアーム７６における、その先端７６ａから軸７５までの距離に対する軸７５から後端７６ｂまでの距離の比とを同一に設定することにより、第３の枠体４０をバランス良く昇降させることができる。
【００３７】
一方、上述した軸８２には当該軸８２を前記一対のガイド壁８３、８４に沿って昇降させる昇降手段９０が連結されている。
【００３８】
この昇降手段９０は一端９１ａが前記軸８２に支承された昇降アーム９１と、該昇降アーム９１の他端９１ｂに軸９２を介して回動自在に支承されたＬ字形の回動レバー９５とから構成されている。
【００３９】
なお、この回動レバー９５は扉５の背面に固着されたボックス本体９３に回動自在に支承された軸９４の一端に固着されている。
【００４０】
なお、上述したボックス本体９３は図１に示す鍵扉１７の固着され、該鍵扉１７により開閉される内部空間を構成するものである。
【００４１】
上述した昇降手段９０によると、軸９４を介しＬ字形の回動レバー９５を矢印のように回動させると、昇降アーム９１が矢印の如く上下動して軸８２を前記一対のガイド壁８３、８４に沿って矢印Ａのように昇降させるので、これにより前記第１及び第２のリンクアーム７３、７６の各先端７３ａ、７６ａが軸７２、７５を中心に回動し、その各先端７３ａ、７６ａに支承された第３の枠体４０を矢印Ｂ方向に昇降させることとなる。
【００４２】
なお、図６は、上述したリンク式昇降手段７０を操作し、第３の枠体４０の両側方を取り付け金具７１、７４を基準に矢印Ｂ方向へ上動させた状態を示している。
【００４３】
なお、上記実施例では図５で示すように、ボックス本体９３の上面には第３の枠体４０の昇降をロックさせるロック手段１００が配設されている。
【００４４】
このロック手段１００は、ボックス本体９３の上面に突設された回動自在な操作軸１０１と、この操作軸１０１の回動に連動して図面左右方向へスライド自在に支承されたロックピン１０２とから構成されている。なお、このロックピン１０２は扉５の内側５ａに固着される支持金具１０３にスライド自在に支承されている。
【００４５】
このようなロック手段１００によると、操作軸１０１を一方向（図面右方向）へ回動させると、図６で示すように、ロックピン１０２が図面右方向へ移動して、第３の枠体４０のプレート４２に穿設された係合孔（図示せず）に嵌挿し、その第３の枠体４０の上下動が規制されることとなる。
【００４６】
なお、この第３の枠体４０のロックを解除するには、操作軸１０１を他方向へ回動させてロックピン１０２を図５で示すように図面左方向へ移動させ、当該ロックピン１０２と第３の枠体４０のプレート４２に穿設された係合孔（図示せず）との係合を解除させれば良い。
【００４７】
上述した第３の枠体４０を、後述する上下動支承手段を介し図４に示す第２の枠体３０の内側に配設するとともに、この第３の枠体４０を所定距離上下動させるリンク式昇降手段７０の各要素を扉５の内側５ａに配設すると図３で示すように、第２の枠体３０の内側に第３の枠体４０が上下動自在に支承されることとなる。
【００４８】
なお、図３で示すように、第３の枠体４０を第２の枠体３０の内側に上下動自在に配設した際、その初期位置では第３の枠体４０に固着された各係合ピン５０、５１、５２、５３、５４、５５、５６、５７、５８、５９、６０、６１の各先端は、第２の枠体３０に形成された各舌片部３１ａ、３１ｂ、３１ｃ、３１ｄ、３１ｆ、３２ａ、３２ｂ、３２ｃ、３２ｄ、３２ｆ、３３ａ、３４ａを構成する各舌片３５、３６のうち、下側を構成する舌片３６に形成されたガイド孔（後述する）内に嵌挿して位置決めされる。
【００４９】
次に上述した本願発明に係わる扉の開閉装置の作用を説明し、併せて構成をより詳細に説明する。
【００５０】
図７は、筐体４の開口部４ａを扉５で覆った状態を示す自動販売機本体３の概念断面図である。
【００５１】
この図７からも明らかなように、第３の枠体４０は、第２の枠体３０を構成するプレート３１、３２に突設されたガイドピン１１０と、第３の枠体４０を構成すプレート４１、４２のうち、前記ガイドピン１１０と対向する位置に穿設されたガイド孔１１１とからなる上下動支承手段１１２を介し、前記第２の枠体３０内に沿って上下動自在に支承されている。
【００５２】
一方、筐体４の開口部４ａを扉５で覆った際に、筐体４に固着された第１の枠体２４の各舌片２０ａ、２０ｂ、２０ｃ、２０ｄ、２１ａ、２１ｂ、２１ｃ、２１ｄ、２２ａ、２３ａは、対応する位置の第２の枠体３０に形成された舌片部３１ａ、３１ｂ、３１ｃ、３１ｄ、３１ｆ、３２ａ、３２ｂ、３２ｃ、３２ｄ、３２ｆ、３３ａ、３４ａを構成する上下一対の舌片３５、３６間に位置決めされることとなる。
【００５３】
これを図７の要部拡大斜視図で示す図８のように、第１の枠体２４のプレート２０に形成された舌片２０ｂが対応する第２の枠体３０の舌片部３２ｃを構成する上下一対の舌片３５、３６間に位置決めされている例を代表して説明する。
【００５４】
この図８で示すように、第１の枠体２４を構成するプレート２０に形成された舌片２０ｂは対向する位置の第２の枠体３０のプレート３２に形成された舌片部３２ｃ内に侵入し、その間に位置決めされている。即ちこの舌片部３２ｃを構成する上下一対の舌片３５、３６間に位置決めされている。
【００５５】
一方、第２の枠体３０に、ガイドピン１１０とガイド孔１１１とからなる上下動支承手段１１２を介し支承された第３の枠体４０の係合ピン５７は、その初期位置では、舌片部３２ｃの一方の舌片３６に形成されたガイド孔３６ａ内にその先端を嵌挿させた状態に位置決めされている。
【００５６】
なお、この図８から明らかなように、舌片部３２ｃを構成する他方の舌片３５にもガイド孔３５ａが形成されている。
【００５７】
またこの舌片３５、３６間に嵌挿した第１の枠体２４の舌片２０ｂには、前記ガイド孔３５ａ、３６ａと対向する位置に係合孔１２０が形成されている。
【００５８】
なお、この係合孔１２０は、図２で示す第１の枠体２４に形成された他の各舌片２０ａ、２０ｃ、２０ｄ、２１ａ、２１ｂ、２１ｃ、２１ｄ、２２ａ、２３ａにも同様に形成されている。
【００５９】
また、筐体４の開口部４ａを扉５で覆うと、図２で示す第１の枠体２４の各舌片２０ａ、２０ｂ、２０ｃ、２０ｄ、２１ａ、２１ｂ、２１ｃ、２１ｄ、２２ａ、２３ａのうち、その上方のプレート２２に形成された舌片２２ａもその要部拡大斜視図で示す図９のように、第２の枠体３０のプレート３３に形成された舌片部３３ａを構成する上下一対の舌片３５、３６間に位置決めされ、また第３の枠体４０を構成するプレート４３に固着された係合ピン６０も、その初期位置で舌片部３３ａの一方の舌片３６に形成されたガイド孔３６ａ内にその先端を嵌挿させた状態に位置決めされる。
【００６０】
また、同様に、筐体４の開口部４ａを扉５で覆うと、図２で示す第１の枠体２４の各舌片２０ａ、２０ｂ、２０ｃ、２０ｄ、２１ａ、２１ｂ、２１ｃ、２１ｄ、２２ａ、２３ａのうち、その下方のプレート２３に形成された舌片２３ａもその要部拡大斜視図で示す図１０のように、第２の枠体３０のプレート３４に形成された舌片部３４ａを構成する上下一対の舌片３５、３６間に位置決めされ、また第３の枠体４０を構成するプレート４４に固着された係合ピン６１も、その初期位置で舌片部３４ａの一方の舌片３６に形成されたガイド孔３６ａ内にその先端を嵌挿させた状態に位置決めされる。
【００６１】
次に、上述した扉５により筐体４の開口部４ａを覆った初期位置から、図１の要部破断拡大図で示す図１１及びその側面図で示す図１２のように、扉５の正面に形成された鍵扉１７を図示せぬキーにより拡開し、該鍵扉１７により覆われたボックス本体９３内を解放する。
【００６２】
このボックス本体９３内には、図１１で示すように、図示せぬキーによりポップアップして回動可能となるハンドル１３０が配設されており、このハンドル１３０により回動される軸１３１は、図５で示すリンク式昇降手段７０の回動レバー９５に固着された軸９４と連結している。
【００６３】
そして、このハンドル１３０をポップアップした一点鎖線で示す位置から実線で示す位置に回転させると、図５で示す軸１３１に連結した軸９４によりＬ字形の回動レバー９５が反時計方向へ回転し、これにより昇降アーム９１が下動して軸８２を一対のガイド壁８３、８４に沿って下降させる。
【００６４】
このように、昇降アーム９１が下動して軸８２を下降させると、リンク式昇降手段７０の第１及び第２のリンクアーム７３、７６の各先端７３ａ、７６ａは軸７２、７５を中心に回動し、その各先端７３ａ、７６ａに支承された第３の枠体４０を図６で示す矢印Ｂ方向に上昇させる。
【００６５】
このように、第３の枠体４０が上昇すると、第３の枠体４０に固着された各係合ピン５０、５１、５２、５３、５４、５５、５６、５７、５８、５９、６０、６１が、図７と同一部分を同一符号で示す図１３のように、その初期位置から矢印Ｂの如く所定距離上昇し、対応する第１の枠体２４の各舌片２０ａ、２０ｂ、２０ｃ、２０ｄ、２１ａ、２１ｂ、２１ｃ、２１ｄ、２２ａ、２３ａに形成された係合孔１２０及び対応する第２の枠体３０に形成された各舌片部３１ａ、３１ｂ、３１ｃ、３１ｄ、３１ｆ、３２ａ、３２ｂ、３２ｃ、３２ｄ、３２ｆ、３３ａ、３４ａの他方の舌片３５に形成されたガイド孔３５ａ内に嵌挿する。
【００６６】
これを図１３の要部拡大斜視図で示す図１４のように、第１の枠体２４の舌片２０ｂと対応する第２の枠体３０の舌片部３２ｃに係合ピン５７が嵌挿した状態を代表して説明する。
【００６７】
この図１４で示すように、第３の枠体４０が上昇すると、この第３の枠体４０に固着された係合ピン５７も図８に示す初期位置から上昇し、対向する位置にある第１の枠体２４のプレート２０に形成された舌片２０ｂの係合孔１２０内に嵌挿するとともに、対向する位置の第２の枠体３０のプレート３２に形成されたガイド孔３５ａ内にそれぞれ嵌挿し、第１乃至第３の枠体２４、３０、４０の各両側方を互いに係合させる。
【００６８】
また、第３の枠体４０が上昇すると、図５に示す第３の枠体４０を構成するプレート４３に固着された係合ピン６０も、図９に示す初期位置から図１５で示す位置へ上昇し、対向する位置にある第１の枠体２４のプレート２２に形成された舌片２２ａの係合孔１２０内に嵌挿するとともに、第２の枠体３０の舌片部３３ａを構成する他方の舌片３５のガイド孔３５ａ内にそれぞれ嵌挿する。
【００６９】
従って、第１乃至第３の枠体２４、３０、４０の上部も互いに係合することとなる。
【００７０】
また、第３の枠体４０が上昇すると、同様に、図５で示す第３の枠体４０を構成するプレート４４に固着された係合ピン６１も、図１０に示す初期位置から図１６で示す位置へ上昇し、対向する位置にある第１の枠体２４のプレート２３に形成された舌片２３ａの係合孔１２０内に嵌挿するとともに、第２の枠体３０の舌片部３４ａを構成する他方の舌片３５のガイド孔３５ａ内にそれぞれ嵌挿することとなる。
【００７１】
従って、第１乃至第３の枠体２４、３０、４０の下部も互いに係合することとなる。
【００７２】
したがって、上述した扉の開閉装置によると、筐体４を扉５で覆った際に、筐体４と扉５の各内周縁全てを、第１の枠体２４に形成された各舌片２０ａ、２０ｂ、２０ｃ、２０ｄ、２１ａ、２１ｂ、２１ｃ、２１ｄ、２２ａ、２３ａの各係合孔１２０及び第２の枠体３０に形成された各舌片部３１ａ、３１ｂ、３１ｃ、３１ｄ、３１ｆ、３２ａ、３２ｂ、３２ｃ、３２ｄ、３２ｆ、３３ａ、３４ａに形成されたガイド孔３５ａ、３６ａ内に、それぞれ第３の枠体４０に固着された各係合ピン５０、５１，５２、５３、５４、５５、５６、５７、５８、５９、６０、６１を嵌挿させるという、いわゆるかんぬき構造により係合させるようにしたから、その係合の機械的強度は著しく向上し、このため筐体４と扉５との間に大きな力が加へられても、扉５がこじあけられられることはない。
【００７３】
また、係合ピン５０、５１，５２、５３、５４、５５、５６、５７、５８、５９、６０、６１を固着した上下動自在な第３の枠体４０をてこの原理を使用したリンク式昇降手段７０により昇降させるようにしたから、この第３の枠体４０の機械的強度を向上させるべく、その重量を重くしても軽いハンドル操作で昇降させることができ、筐体４と扉５との係合及びその解除を簡単に行うことができることとなる。
【００７４】
なお、上記実施例では、図５で示すように、ボックス本体９３の上面に第３の枠体４０の昇降をロックさせるロック手段１００が配設し、図１１に示すボックス本体９３内の上面に配設されたキーシリンダ１４０を介して、図示せぬキーにより図５に示す操作軸１０１を回転させ、ロックピン１０２を図６で示すように図面右方向へ移動させて、第１乃至第３の枠体２４、３０、４０に形成された図示せぬ係合孔（図示せず）に嵌挿させるようにしたから、筐体４と扉５とを互いに前記係合ピンにより係合させた後、万が一、第３の枠体４０に対し下方への衝撃が加わって、当該第３の枠体４０を下動させようとしても、上述したロックピン１０２が第３の枠体４０の下動を規制するので、容易に第３の枠体４０が下動して筐体４と扉５との係合ロックが解除されることもない。
【００７５】
なお、上述したロック手段１００による第３の枠体４０の昇降ロックを解除するには、図１１で示すボックス本体９３内の上面に配設されたキーシリンダ１４０を介し、図示せぬキーにより図６に示す操作軸１０１を回転させ、ロックピン１０２を図６で示す位置から図５で示すように図面左方向へ移動させればよい。なお、上記実施例では第３の枠体４０の昇降を、てこを利用したリンク式昇降手段７０のみで行うようにしたが、この発明は上記実施例に限定されることなく、第３の枠体４０と第２の枠体３０との間に単数乃至は複数個のひつぱりバネ等のパワーアシスト手段を介在させ、これにより第３の枠体４０の昇降をより一層容易にさせることも可能である。
【００７６】
【発明の効果】
以上説明したように、この発明の扉の開閉装置では、筐体と扉の各内周縁全てを、かんぬき構造により互いに係合させて、その開閉をロックさせるようにしたから、筐体と扉の係合ロックの際の機械的強度も大きく、このため筐体と扉との間に大きな力が加わった際に扉がこじあけられられることが可及的に防止され、これにより筐体内部に収納されている商品や金銭が盗まれる等の災害を可及的に防止することができる。
【００７７】
またてこを利用したリンク式昇降手段を介し、筐体と扉との係合ロック及びその解除を行わせるようにしたから、昇降させる対象の機械的強度を向上させるべく、その重量を重くしてもその係合ロック及びその解除操作を容易にすることができる。
【図面の簡単な説明】
【図１】図１は、この発明の開閉装置を適用した自動販売機の概念正面図。
【図２】図２は、扉を拡開した状態を示す筐体の正面図。
【図３】図３は、扉の内側を示す正面図。
【図４】図４は、第２の枠体を示す扉の内側を示す正面図。
【図５】図５は、第３の枠体とてこを利用したリンク式昇降手段の正面図。
【図６】図６は、第３の枠体とてこを利用したリンク式昇降手段の作用を示す正面図。
【図７】図７は、筐体を扉で覆った状態を示す概念断面図。
【図８】図８は、図７の要部概念拡大斜視図。
【図９】図９は、扉を閉じた状態の第１乃至第３の枠体を示す要部概念拡大斜視図。
【図１０】図１０は、扉を閉じた状態の第１乃至第３の枠体を示す要部概念拡大斜視図。
【図１１】図１１は、図１の要部破断拡大図。
【図１２】図１２は、図１１の側面図。
【図１３】図１３は、筐体を扉で覆い、その後、筐体に扉を係合ロックさせた状態を示す概念断面図。
【図１４】図１４は、図１４の要部概念拡大斜視図。
【図１５】図１５は、筐体と扉とを係合ロックさせた際の、第１乃至第３の枠体を示す要部概念拡大斜視図。
【図１６】図１６は、筐体と扉とを係合ロックさせた際の、第１乃至第３の枠体を示す要部概念拡大斜視図。
【符号の説明】
４…機器筐体
４ａ…開口
５…扉
２００…係合手段
２４…第１の枠体
２０ａ、２０ｂ、２０ｃ、２０ｄ、２１ａ、２１ｂ、２１ｃ、２１ｄ、２２ａ、  ２３ａ…舌片
１２０…係合孔
３０…第２の枠体
３５、３６…舌片
３５ａ、３６ａ…ガイド孔
４０…第３の枠体
５０、５１，５２、５３、５４、５５、５６、５７、５８、５９、６０、６１…係合ピン
７０…てこを利用したリンク式昇降手段
７２、７５…軸
７３、７６…リンクアーム
９０…昇降手段
【図１】
0003821967.tif 000002
【図２】
0003821967.tif 000003
【図３】
0003821967.tif 000004
【図４】
0003821967.tif 000005
【図５】
0003821967.tif 000006
【図６】
0003821967.tif 000007
【図７】
0003821967.tif 000008
【図８】
0003821967.tif 000009
【図９】
0003821967.tif 000010
【図１０】
0003821967.tif 000011
【図１１】
0003821967.tif 000012
【図１２】
0003821967.tif 000013
【図１３】
0003821967.tif 000014
【図１４】
0003821967.tif 000015
【図１５】
0003821967.tif 000016
【図１６】
0003821967.tif 000017